(57)【要約】【課題】ユーザーが時差の境界付近を移動する場合に表示時刻が頻繁に修正されるのを防止すること。【解決手段】携帯電話装置１０１は、ローカルタイム表示部１０８に時刻を表示する際は、時差情報記録部１０４の保持する時差情報と世界標準時計上部１０６が計上する時刻情報とから演算部１０７が加減算を行った時刻を表示する。携帯電話装置１０１はハンドオーバーを行うごとに基地局１５１から送信される時差情報を時差情報記録部１０３に記録し、時差情報に関する過去の履歴を作成する。作成された過去の履歴が全て同じ値となった場合、もしくは過半数を超えた場合、すでにローカルタイム表示部用にその値が使われている時差情報記録部１０４の保持する値と過去の履歴の値とを比較し、異なっていれば、時差情報記録部１０４の値を書き換え、ローカルタイムの修正を行う。【選択図】      図１
2004236103.tif 000002
【特許請求の範囲】
【請求項１】
携帯電話装置と通信する基地局が自局の従うローカルタイムと世界標準時との時差情報を記録する手段とハンドオーバーを行う携帯電話装置に対し前記時差情報を送信する手段とを備える場合において、前記携帯電話装置は、世界標準時を内部で計上する世界標準時計上手段と、前記世界標準時からユーザーが存在する都市のローカルタイムを算出するための時差情報を記録する第１時差情報記録手段と、ハンドオーバーを行う度に基地局から送信されてくる前記時差情報を逐一記録する第２時差情報記録手段と、前記第２時差情報記録手段に記録された過去複数回のハンドオーバーによる時差情報の全てまたは大部分が一致したとき、その値と前記第１時差情報記録手段の記録内容とを比較し、異なるとき前記第１時差情報記録手段の値を更新する比較手段と、前記第１時差情報記録手段が保持する時差情報と前記世界標準時計上手段が計上する時刻情報とからユーザーが存在する都市のローカルタイムを演算する演算手段と、前記ローカルタイムを表示するローカルタイム表示手段と、を具備することを特徴とする携帯電話装置。
【請求項２】
携帯電話装置と通信する基地局が自局の従うローカルタイムと世界標準時との時差情報を記録する手段とハンドオーバーを行う携帯電話装置に対し前記時差情報を送信する手段とを備える場合において、前記携帯電話装置は、世界標準時を内部で計上する世界標準時計上手段と、前記世界標準時からユーザーが存在する都市のローカルタイムを算出するための時差情報を記録する第１時差情報記録手段と、ハンドオーバーを行う際に基地局から送信されてくる前記時差情報を記録する第２時差情報記録手段と、前記ハンドオーバー実施後の一定時間を計時するタイマーと、前記基地局から送信されてきた時差情報が現在表示している時刻の時差情報と異なるとき、前記ハンドオーバー実施後の一定時間経過後に前記基地局に時差情報の送信を依頼する問い合わせ手段と、前記問い合わせ手段が取得した時差情報を記録する第３時差情報記録手段と、前記第２時差情報記録手段と前記第３時差情報記録手段との記録内容を比較し、同じであるとき前記第１時差情報記録手段の値を更新する比較手段と、前記第１時差情報記録手段が保持する時差情報と前記世界標準時計上手段が計上する時刻情報とからユーザーが存在する都市のローカルタイムを演算する演算手段と、前記ローカルタイムを表示するローカルタイム表示手段と、を具備することを特徴とする携帯電話装置。
【請求項３】
前記ハンドオーバー実施後の一定時間を計時するタイマーと、前記タイマーが計時する一定時間内にハンドオーバーの発生がないとき、前記基地局に時差情報の送信を依頼する問い合わせ手段と、前記問い合わせ手段が取得した時差情報を記録する第３時差情報記録手段と、前記第２時差情報記録手段に最後に記録された時差情報と前記第３時差情報記録手段に記録された時差情報とが同じであるとき前記第１時差情報記録手段の値を更新する前記比較手段と、を具備することを特徴とする請求項１記載の携帯電話装置。
【請求項４】
サマータイム制を採用する地域のサマータイム情報を記録するサマータイム情報記録手段と、前記ローカルタイムの演算を行う際に、前記サマータイム情報記録手段が保持するサマータイム情報と前記世界標準時計上手段が計上する時刻情報とからサマータイムに関する表示時刻を演算する前記演算手段と、を具備することを特徴とする請求項１から請求項３のいずれかに記載の携帯電話装置。
【請求項５】
通信相手の携帯電話装置の属する基地局が保持する時差情報が記録される通信相手用時差情報記録手段と、前記ローカルタイムの演算を行う際に、前記通信相手用時差情報記録手段が保持する通信相手の時差情報と前記世界標準時計上手段が計上する時刻情報とから通信相手が存在する地域のローカルタイムの表示時刻を演算する前記演算手段と、を具備することを特徴とする請求項１から請求項４のいずれかに記載の携帯電話装置。
【請求項６】
特定都市の時差情報が記録される特定都市用時差情報記録手段と、前記世界標準時計上手段が計上する時刻情報と前記第１時差情報記録手段及び前記特定都市用時差情報記録手段が保持する時差情報とからユーザーが存在する都市のローカルタイム及び前記特定都市のローカルタイムをそれぞれ演算する前記演算手段と、前記特定都市のローカルタイムを表示する特定都市用ローカルタイム表示手段と、前記ユーザーが存在する都市のローカルタイムと前記特定都市のローカルタイムとの一方を選択して前記ローカルタイム表示手段と前記特定都市用ローカルタイム表示手段との対応する表示手段に表示させるローカルタイム表示選択手段と、を具備することを特徴とする請求項１から請求項４のいずれかに記載の携帯電話装置。
【請求項７】
前記演算手段は、メールの送信時刻、受信時刻、発信履歴や着信履歴の時刻、アラーム機能やスケジュール機能の時刻等も修正して前記ローカルタイム表示手段に出力することを特徴とする請求項１から請求項６のいずれかに記載の携帯電話装置。
【請求項８】
前記基地局と制御情報の通信を行うごとに基地局から前記時差情報を受信し前記第２時差情報記録手段に記録する手段、を具備することを特徴とする請求項１記載の携帯電話装置。
【発明の詳細な説明】
【０００１】
【発明の属する技術分野】
本発明は、携帯電話装置に係り、特にユーザーが国境を越えて移動する際、もしくは、異なるローカルタイムの都市間を移動する際に表示する時刻の修正機能を備えた携帯電話装置に関する。
【０００２】
【従来の技術】
携帯電話装置は、時計機能を備え、現在時刻の表示を行う構成を有するのが一般的であるが、時差を有する地域間を移動した場合、移動先の時刻に合わせる必要がある。
【０００３】
そこで、例えば、特許文献１では、基地局に時報と同一の時刻を保持させておき、基地局がその保持する時報と同一の時刻を携帯電話装置に送信することにより、携帯電話装置の時刻を修正する方法が開示されている。この方法によれば、携帯電話装置は、常に時報情報と同一の時刻を表示することできるので、ユーザーが時差の異なる都市間もしくは国を移動した際に、時差を考慮して時刻を修正することに用いることができる。
【０００４】
また、特許文献２では、ＧＰＳ（Ｇｌｏｂａｌ  Ｐｏｓｉｔｉｏｎｉｎｇ  Ｓｙｓｔｅｍ）を利用してユーザーの位置を認識し、現在のＧＭＴ（世界で統一された標準時刻）を取得し、ユーザーの位置に応じた時差をＧＭＴに加えてユーザーの位置における時刻を表示する方法が開示されている。この方法によれば、時差が存在する国や地域間を移動する場合に、時差を予め把握することなく、表示時刻を移動先に応じた時刻に自動修正することができる。
【０００５】
【特許文献１】
特開平１１−１３６７５５号公報（００１１〜００３１、図１）
【特許文献２】
特開２００１−３５６８３８号公報（００２２〜００３１、図１）
【０００６】
【発明が解決しようとする課題】
しかしながら、特許文献１に開示された方法では、ユーザーが時差の境界に居る場合、わずかな移動で携帯電話装置と通信を行う基地局が変化する可能性があり、これにより境界付近のユーザーの携帯電話装置は頻繁に時刻が修正され、わずらわしさを感じるという問題がある。
【０００７】
また、特許文献２に開示された方法では、ＧＰＳを利用してユーザーの位置を認識するが、ＧＰＳから得られる緯度及び経度情報のみでは、そのユーザーの存在するエリアの時差情報は決定できない。そのため、ＧＰＳと合わせて、携帯電話装置は、各緯度、経度情報に対する時差情報のデータベースを内部に持つ必要があるという問題がある。
【０００８】
本発明は、かかる点に鑑みてなされたものであり、ユーザーが国境を越えて移動する際に、もしくは、異なるローカルタイムの都市間を移動する際に、時差の境界に位置する場合に表示時刻が頻繁に修正されることを抑制する機能を備えた携帯電話装置を提供することを目的とする。
【０００９】
【課題を解決するための手段】
本発明の携帯電話装置は、携帯電話装置と通信する基地局が自局の従うローカルタイムと世界標準時との時差情報を記録する手段とハンドオーバーを行う携帯電話装置に対し前記時差情報を送信する手段とを備える場合において、前記携帯電話装置は、世界標準時を内部で計上する世界標準時計上手段と、前記世界標準時からユーザーが存在する都市のローカルタイムを算出するための時差情報を記録する第１時差情報記録手段と、ハンドオーバーを行う度に基地局から送信されてくる前記時差情報を逐一記録する第２時差情報記録手段と、前記第２時差情報記録手段に記録された過去複数回のハンドオーバーによる時差情報の全てまたは大部分が一致したとき、その値と前記第１時差情報記録手段の記録内容とを比較し、異なるとき前記第１時差情報記録手段の値を更新する比較手段と、前記第１時差情報記録手段が保持する時差情報と前記世界標準時計上手段が計上する時刻情報とからユーザーが存在する都市のローカルタイムを演算する演算手段と、前記ローカルタイムを表示するローカルタイム表示手段と、を具備する構成を採る。
【００１０】
この構成によれば、携帯電話装置は、基地局から受信した時差情報を過去複数回にわたり記録し、記録した時差情報が全て又は大部分が現在表示している時刻の時差情報と異なる場合に時刻を修正する。したがって、ユーザーが時差の境界を移動することにより頻繁に発生する時刻の修正に対し、煩わしさを軽減することができる。
【００１１】
本発明の携帯電話装置は、携帯電話装置と通信する基地局が自局の従うローカルタイムと世界標準時との時差情報を記録する手段とハンドオーバーを行う携帯電話装置に対し前記時差情報を送信する手段とを備える場合において、前記携帯電話装置は、世界標準時を内部で計上する世界標準時計上手段と、前記世界標準時からユーザーが存在する都市のローカルタイムを算出するための時差情報を記録する第１時差情報記録手段と、ハンドオーバーを行う際に基地局から送信されてくる前記時差情報を記録する第２時差情報記録手段と、前記ハンドオーバー実施後の一定時間を計時するタイマーと、前記基地局から送信されてきた時差情報が現在表示している時刻の時差情報と異なるとき、前記ハンドオーバー実施後の一定時間経過後に前記基地局に時差情報の送信を依頼する問い合わせ手段と、前記問い合わせ手段が取得した時差情報を記録する第３時差情報記録手段と、前記第２時差情報記録手段と前記第３時差情報記録手段との記録内容を比較し、同じであるとき前記第１時差情報記録手段の値を更新する比較手段と、前記第１時差情報記録手段が保持する時差情報と前記世界標準時計上手段が計上する時刻情報とからユーザーが存在する都市のローカルタイムを演算する演算手段と、前記ローカルタイムを表示するローカルタイム表示手段と、を具備する構成を採る。
【００１２】
この構成によれば、携帯電話装置は、基地局から受信した時差情報が現在表示している時刻の時差情報と異なる場合、一定時間後に再度基地局から時差情報を受信し、その再度受信した時差情報も現在表示している時刻の時差情報と異なる場合に時刻を修正する。したがって、ユーザーは、時差の境界で頻繁に時刻が修正されることによる煩わしさを軽減することができる。
【００１３】
本発明の携帯電話装置は、上記の発明において、前記ハンドオーバー実施後の一定時間を計時するタイマーと、前記タイマーが計時する一定時間内にハンドオーバーの発生がないとき、前記基地局に時差情報の送信を依頼する問い合わせ手段と、前記問い合わせ手段が取得した時差情報を記録する第３時差情報記録手段と、前記第２時差情報記録手段に最後に記録された時差情報と前記第３時差情報記録手段に記録された時差情報とが同じであるとき前記第１時差情報記録手段の値を更新する前記比較手段と、を具備する構成を採る。
【００１４】
この構成によれば、携帯電話装置は、基本的には過去の履歴を参照しながら時刻の修正を行うが、一定時間ハンドオーバーが発生しない場合には基地局から時差情報を受信し、第３時差情報記録手段に時差情報を記録する。第２時差情報記録手段に最後に記録された時差情報と第３時差情報記録手段に記録された時差情報が同一である場合には時刻の修正を行う。したがって、ユーザーが境界付近で停止し、ハンドオーバーが発生しないためにローカルタイムが異なっているにもかかわらず修正されないという事態の発生を抑制することができる。
【００１５】
本発明の携帯電話装置は、上記の発明において、サマータイム制を採用する地域のサマータイム情報を記録するサマータイム情報記録手段と、前記ローカルタイムの演算を行う際に、前記サマータイム情報記録手段が保持するサマータイム情報と前記世界標準時計上手段が計上する時刻情報とからサマータイムに関する表示時刻を演算する前記演算手段と、を具備する構成を採る。
【００１６】
この構成によれば、ユーザーの滞在する地域がサマータイム制を用いている場合にも対応した時刻修正を行うことができる。
【００１７】
本発明の携帯電話装置は、上記の発明において、通信相手の携帯電話装置の属する基地局が保持する時差情報が記録される通信相手用時差情報記録手段と、前記ローカルタイムの演算を行う際に、前記通信相手用時差情報記録手段が保持する通信相手の時差情報と前記世界標準時計上手段が計上する時刻情報とから通信相手が存在する地域のローカルタイムの表示時刻を演算する前記演算手段と、を具備する構成を採る。
【００１８】
この構成によれば、受信した通信相手の時差情報からローカルタイムを算出し、ユーザーが発信もしくは受信した通信相手のローカルタイムを知ることができる。
【００１９】
本発明の携帯電話装置は、上記の発明において、特定都市の時差情報が記録される特定都市用時差情報記録手段と、前記世界標準時計上手段が計上する時刻情報と前記第１時差情報記録手段及び前記特定都市用時差情報記録手段が保持する時差情報とからユーザーが存在する都市のローカルタイム及び前記特定都市のローカルタイムをそれぞれ演算する前記演算手段と、前記特定都市のローカルタイムを表示する特定都市用ローカルタイム表示手段と、前記ユーザーが存在する都市のローカルタイムと前記特定都市のローカルタイムとの一方を選択して前記ローカルタイム表示手段と前記特定都市用ローカルタイム表示手段との対応する表示手段に表示させるローカルタイム表示選択手段と、を具備する構成を採る。
【００２０】
この構成によれば、ユーザーは必要な時のみ、指定した都市のローカルタイムを参照することができる。
【００２１】
本発明の携帯電話装置は、上記の発明において、前記演算手段は、メールの送信時刻、受信時刻、発信履歴や着信履歴の時刻、アラーム機能やスケジュール機能の時刻等も修正して前記ローカルタイム表示手段に出力する構成を採る。
【００２２】
この構成によれば、ユーザーは、ローカルタイムの異なるような移動を行った場合でも、移動先のローカルタイムに対応した時刻で発信履歴や着信履歴、メールの送受信時間、アラーム機能やスケジュール機能等を利用することができる。
【００２３】
本発明の携帯電話装置は、上記の発明において、前記基地局と制御情報の通信を行うごとに基地局から前記時差情報を受信し前記第２時差情報記録手段に記録する手段を具備する構成を採る。
【００２４】
この構成によれば、ユーザーが時差情報の異なる都市に移動し、その後、その基地局のカバーするエリア内に存在する場合において、少なくとも一定時間後に時刻の修正を行うことができる。
【００２５】
【発明の実施の形態】
本発明の骨子は、ユーザーが国境を越えて移動する際に、もしくは、異なるローカルタイムの都市間を移動する際に、時差の境界に位置する場合に表示時刻が頻繁に修正されることを抑制することである。
【００２６】
以下、本発明の実施の形態について、図面を用いて説明する。
【００２７】
（実施の形態１）
図１は、本発明の実施の形態１に係る携帯電話装置及び基地局の構成を示すブロック図である。図１において実施の形態１に係る携帯電話装置１０１が関わる移動通信システムにおける基地局１５１は、携帯電話装置１０１との通信を行う通信部１５２の他に、自基地局が管理するセルのローカルタイムと世界標準時との時差情報を記録する時差情報記録部１５３を備えている。
【００２８】
携帯電話装置１０１は、各基地局と通信を行う通信部１０２と、自端末が従うローカルタイムと世界標準時との時差情報を複数個記録する時差情報記録部１０３と、世界標準時から移動先のローカルタイムを算出するための時差情報を記録する時差情報記録部１０４と、時差情報記録部１０３の記録内容と時差情報記録部１０４の記録内容とを比較する比較部１０５と、世界標準時を内部で常時で計上している世界標準時計上部１０６と、世界標準時と時差情報記録部１０４の記録内容とからローカルタイムを算出する演算部１０７と、演算部１０７が算出した自端末の従うローカルタイムを表示するローカルタイム表示部１０８とを備えている。
【００２９】
次に、図１を参照して本実施の形態１に係る携帯電話装置の動作を説明する。基地局１５１の時差情報記録部１５３には、予め自基地局が管理するセルのローカルタイムと世界標準時との時差が記録されている。また、携帯電話装置１０１の世界標準時計上部１０６では、常時世界標準時を内部で計上している。
【００３０】
ローカルタイム表示部１０８には、時差情報記録部１０４の保持する時差情報と世界標準時計上部１０６が計上する時刻情報とから演算部１０７が加減算を行った時刻が表示される。
【００３１】
ユーザーの移動によってハンドオーバーが発生した場合に、基地局１５１は、時差情報記録部１５３の保持する時差情報を通信部１５２から携帯電話装置１０１に送信する。
【００３２】
携帯電話装置１０１は、基地局１５１から送信されてきた時差情報を通信部１０２にて受信し、時差情報記録部１０３に記録する。このように、携帯電話装置１０１がハンドオーバーを行うごとに基地局１５１から送信される時差情報が時差情報記録部１０３に記録され、時差情報に関する過去の履歴が作成される。
【００３３】
作成された過去の履歴が全て同じ値となった場合、もしくは過半数を超えた場合、比較部１０５は、すでにローカルタイム表示部用にその値が使われている時差情報記録部１０４の保持する値と過去の履歴の値とを比較し、異なっていれば時差情報記録部１０４の値を書き換える。これによりローカルタイムの修正を行う。
【００３４】
このように、実施の形態１によれば、携帯電話装置に過去数回の基地局との通信による時差情報の履歴を保持させ、現在表示している時刻の時差情報と異なる時差情報が履歴の過半数を超えたタイミングで時刻を修正するようにしたので、時差の境界に存在するユーザーの携帯電話装置の表示する時刻が頻繁に修正されることを抑制することができる。
【００３５】
（実施の形態２）
図２は、本発明の実施の形態２に係る携帯電話装置及び基地局の構成を示すブロック図である。なお、図２では、図１に示した構成と同一ないしは同等である構成要素には、同一の符号が付されている。ここでは、この実施の形態２に関わる部分を中心に説明する。
【００３６】
図２に示す携帯電話装置２０１では、図１に示した携帯電話装置１０１において、時差情報記録部１０３に代えて、時差情報記録部２０３とタイマー２０４と時差情報記録部２０５とが設けられ、また、比較部１０５に代えて比較部２０６が設けられている。
【００３７】
次に、図２を参照して実施の形態２に係る携帯電話装置の動作を説明する。携帯電話装置２０１では、ハンドオーバーを行った際に基地局１５１から送信されてきた時差情報を時差情報記録部２０３に記録する。
【００３８】
タイマー２０４は、ハンドオーバー後一定時間を測定する。基地局から受信した時差情報が現在表示している時刻の時差情報と異なる場合、タイマー２０４が計時した一定時間経過後に、基地局１５１に時差情報の問い合わせを行い、送られてきた時差情報を時差情報記録部２０５に記録する。
【００３９】
比較部２０６は、時差情報記録部２０３の記録内容と時差情報記憶部２０５の記録内容とを比較し、同じであれば、時差情報記録部１０４の内容を書き換える。そして、演算部１０７は、世界標準時計上部１０６が計上した時刻に時差情報記録部１０４の値を加減してローカルタイム表示部１０８に修正した時刻を表示する。
【００４０】
このように、実施の形態２によれば、基地局から現在の時刻の時差情報と異なる時差情報を受信した場合に、一定時間後に再度基地局から時差情報を受信し、一定時間前に受信した時差情報と同じ情報であれば表示時刻を修正するようにしたので、時差の境界に存在するユーザーの携帯電話装置の表示する時刻が頻繁に修正されることを抑制することができる。
【００４１】
（実施の形態３）
図３は、本発明の実施の形態３に係る携帯電話装置及び基地局の構成を示すブロック図である。なお、図３では、図１に示した構成と同一ないしは同等である構成要素には、同一の符号が付されている。ここでは、この実施の形態３に関わる部分を中心に説明する。
【００４２】
図３に示す携帯電話装置３０１では、図１に示した携帯電話装置１０１において、タイマー３０４と時差情報記録部３０５とが設けられ、また、比較部１０５に代えて比較部３０６が設けられている。
【００４３】
次に、図３を参照して実施の形態３に係る携帯電話装置の動作を説明する。実施の形態１（図１）にて説明したように、携帯電話装置３０１では、ハンドオーバーを行うごとに基地局１５１から送信される時差情報が時差情報記録部１０３に記録され、時差情報に関する過去の履歴が作成され、その過去の履歴を参照しながら表示時刻の修正が行われている。
【００４４】
この実施の形態３では、タイマー３０４が計時する一定時間内にハンドオーバーが起こらない場合でも一定時間経過後に、その時の時差情報を基地局１５１に問い合わせを行い、送られてきた時差情報を時差情報記録部３０５に記録する。
【００４５】
そして、比較部３０６が時差情報記録部１０３に最後に記録されている時差情報と時差情報記録部３０５に記録されていた時差情報とを比較し、等しい場合に時差情報記録部１０４の内容を書き換え、ローカルタイム表示部１０８の表示時刻を修正する。
【００４６】
このように、実施の形態３によれば、過去の履歴を参照しながら時刻の修正を行うが、一定時間ハンドオーバーが発生しない場合には基地局から時差情報を受信し、それが履歴の最後に記録されている時差情報記と同一である場合には時刻の修正を行うようにしたので、ユーザーが境界付近で停止し、ハンドオーバーが発生しないためにローカルタイムが異なっているにもかかわらず修正されないという事態の発生を防止することができる。
【００４７】
（実施の形態４）
図４は、本発明の実施の形態４に係る携帯電話装置及び基地局の構成を示すブロック図である。なお、図４では、図１に示した構成と同一ないしは同等である構成要素には、同一の符号が付されている。ここでは、この実施の形態４に関わる部分を中心に説明する。
【００４８】
図４に示す携帯電話装置４０１では、図１に示した携帯電話装置１０１において、サマータイム情報記録部４０７を追加され、また、演算部１０７に代えて演算部４０８が設けられている。
【００４９】
次に、図４を参照して実施の形態４に係る携帯電話装置の動作を説明する。携帯電話装置４０１での表示時刻の修正動作は、基本的には、実施の形態１にて説明した手順で同様に行われる。
【００５０】
この実施の形態４では、ユーザーの滞在する地域がサマータイム制を採用する場合に備え、携帯電話装置４０１にサマータイム情報を登録することができる。即ち、サマータイム情報記録部４０７には、ユーザーが設定したサマータイム情報が記録されている。
【００５１】
演算部４０８では、修正時刻をローカルタイム表示部１０８に表示する直前にサマータイム情報記録部４０７に設定されるサマータイム情報の時刻に時差情報記録部１０４の値を加減してローカルタイム表示部１０８に表示するようになっている。
【００５２】
このように、実施の形態４によれば、ユーザーの滞在する地域がサマータイム制を採用する場合にも、対応した時刻修正を行うことができる。なお、この実施の形態４では、実施の形態１への適用例を示したが、実施の形態２や実施の形態３にも同様に適用できることは言うまでもない。
【００５３】
（実施の形態５）
図５は、本発明の実施の形態５に係る携帯電話装置及び基地局の構成を示すブロック図である。なお、図５では、図１に示した構成と同一ないしは同等である構成要素には、同一の符号が付されている。ここでは、この実施の形態５に関わる部分を中心に説明する。
【００５４】
図５に示す携帯電話装置５０１では、図１に示した携帯電話装置１０１において、通信相手用時差情報記録部５０６と、通信相手用ローカルタイム表示部５０７とが追加され、また、演算部１０７に代えて演算部５０８が設けられている。
【００５５】
次に、図５を参照して実施の形態５に係る携帯電話装置の動作を説明する。携帯電話装置５０１での表示時刻の修正動作は、基本的には、実施の形態１にて説明した手順で同様に行われる。
【００５６】
この実施の形態５では、ユーザーは、携帯電話装置５０１に通信相手の携帯電話装置が属する基地局の保持する時差情報を登録することができる。即ち、通信相手用時差情報記録部５０６には、ユーザーが設定した通信相手の時差情報が記録されている。
【００５７】
演算部５０８では、修正時刻をローカルタイム表示部１０８に表示する際に、通信相手のローカルタイムを算出し、通信相手用ローカルタイム表示部５０７に表示するようになっている。
【００５８】
このように、実施の形態５によれば、ユーザーは、発信もしくは受信した通信相手のローカルタイムを知ることができる。なお、この実施の形態５では、実施の形態１への適用例を示したが、実施の形態２や実施の形態３、実施の形態４にも同様に適用できることは言うまでもない。
【００５９】
（実施の形態６）
図６は、本発明の実施の形態６に係る携帯電話装置及び基地局の構成を示すブロック図である。なお、図６では、図１に示した構成と同一ないしは同等である構成要素には、同一の符号が付されている。ここでは、この実施の形態６に関わる部分を中心に説明する。
【００６０】
図６に示す携帯電話装置６０１では、図１に示した携帯電話装置１０１において、特定都市用時差情報記録部６０６と、ローカルタイム表示選択部６０７と特定都市用ローカルタイム表示部６０８とが追加され、また、演算部１０７に代えて演算部６０９が設けられている。
【００６１】
次に、図６を参照して実施の形態６に係る携帯電話装置の動作を説明する。携帯電話装置６０１での表示時刻の修正動作は、基本的には、実施の形態１にて説明した手順で同様に行われる。
【００６２】
この実施の形態６では、ユーザーは、携帯電話装置６０１に特定都市の時差情報を登録することができる。即ち、特定都市用時差情報記録部６０６には、ユーザーが設定した特定都市の時差情報が記録されている。
【００６３】
演算部６０９では、ローカルタイム表示部１０８に表示するユーザーの存在する都市のローカルタイムと、特定都市用ローカルタイム表示部６０８に表示するユーザーが指定する特定都市のローカルタイムとを演算するようになっている。
【００６４】
ローカルタイム表示選択部６０７は、ユーザーの選択操作に従って、ユーザーの存在する都市のローカルタイムをローカルタイム表示部１０８に表示するか、特定都市のローカルタイムを特定都市用ローカルタイム表示部６０８に表示するかを選択する。
【００６５】
このように、実施の形態６によれば、ユーザーは、必要に応じて指定した特定都市のローカルタイムを表示することができる。なお、この実施の形態６では、実施の形態１への適用例を示したが、実施の形態２や実施の形態３、実施の形態４、実施の形態５にも同様に適用できることは言うまでもない。
【００６６】
ここで、本発明は、以上説明した実施の形態に限定されるものではない。本発明の特徴から逸脱することなく別の形態で本発明を実施することができることは、当業者には明らかである。
【００６７】
例えば、計算した時刻を表示する場合に、発信履歴や着信履歴、メールの送受信時間、アラーム機能やスケジュール機能の時刻等もその時の時差情報を用いて修正して表示する機能を備えるようにすることができる。
【００６８】
この構成によれば、ユーザーは、ローカルタイムの異なるような移動を行った場合でも、移動先のローカルタイムに対応した時刻で発信履歴や着信履歴、メールの送受信時間、アラーム機能やスケジュール機能等を利用することができる。
【００６９】
また、実施の形態１では、ハンドオーバーを行う度に基地局から時差情報を取得して履歴を作成する場合を説明したが、ハンドオーバー後にその基地局と制御情報の通信を行うごとに基地局から時差情報を受信し履歴を作成するようにすることができる。
【００７０】
この構成によれば、ユーザーが時差情報の異なる都市に移動し、その後、その基地局のカバーするエリア内に存在する場合において、少なくとも一定時間後に時刻の修正を行うことができる。
【００７１】
【発明の効果】
以上説明したように、本発明によれば、ユーザーが時差の境界に存在し、ユーザーの微小な移動で表示時刻が頻繁に修正されることが抑制できるので、ユーザーが感じる頻繁な時刻修正による煩わしさを軽減することができる。
【図面の簡単な説明】
【図１】本発明の実施の形態１に係る携帯電話装置及び基地局の構成を示すブロック図
【図２】本発明の実施の形態２に係る携帯電話装置及び基地局の構成を示すブロック図
【図３】本発明の実施の形態３に係る携帯電話装置及び基地局の構成を示すブロック図
【図４】本発明の実施の形態４に係る携帯電話装置及び基地局の構成を示すブロック図
【図５】本発明の実施の形態５に係る携帯電話装置及び基地局の構成を示すブロック図
【図６】本発明の実施の形態６に係る携帯電話装置及び基地局の構成を示すブロック図
【符号の説明】
１０１，２０１，３０１，４０１，５０１，６０１  携帯電話装置
１０２，１５２  通信部
１０３，１０４，１５３，２０３，２０５，３０５  時差情報記録部
１０５，２０６，３０６  比較部
１０６  世界標準時計上部
１０７，４０８，５０８，６０９  演算部
１０８  ローカルタイム表示部
２０４，３０４  タイマー
４０７  サマータイム情報記録部
５０６  通信相手用時差情報記録部
５０７  通信相手用ローカルタイム表示部
６０６  特定都市用時差情報記録部
６０７  ローカルタイム表示選択部
６０８  特定都市用ローカルタイム表示部
【図１】
2004236103.tif 000003
【図２】
2004236103.tif 000004
【図３】
2004236103.tif 000005
【図４】
2004236103.tif 000006
【図５】
2004236103.tif 000007
【図６】
2004236103.tif 000008